(57)【要約】【課題】情報端末を用いて希望する作業とその作業を行うための遠隔操作装置とをオペレータに容易に選択させる。【解決手段】サーバ１０は、第１データベース１０７に記憶された作業要求情報及び第２データベース１０８に記憶されたマスター情報に基づいて、１以上の作業及び１以上のマスター３０の中から任意の作業及び任意のマスター３０をオペレータに選択させるための選択画面を情報端末６０に表示させる。情報端末６０は、選択画面を通じて任意の作業と任意のマスター３０とを選択するオペレータによる選択指示をサーバ１０に送信し、サーバ１０は、選択指示が示すオペレータＩＤと、マスターＩＤと、作業とを対応付けて作業予定データベース１１３に記憶することでオペレータの作業を受注する。【選択図】図１
2020077294.tif 000002
【特許請求の範囲】
【請求項１】
建設機械を遠隔操作する遠隔操作装置のオペレータに作業発注者が発注した作業を選択させる作業選択システムであって、
前記オペレータが前記作業を選択するための情報端末と、
前記情報端末とネットワークを介して接続されるサーバとを備え、
前記サーバは、
前記作業発注者が発注した１以上の作業に関する作業要求情報を予め記憶する第１データベースと、
１以上の遠隔操作装置のそれぞれについて少なくとも識別子を含む遠隔操作装置情報を予め記憶する第２データベースと、
前記作業要求情報及び前記遠隔操作装置情報に基づいて、前記１以上の作業及び前記１以上の遠隔操作装置の中から任意の作業及び任意の遠隔操作装置を前記オペレータに選択させるための選択画面を前記情報端末に表示させる表示データを生成する表示データ生成部と、
前記表示データを前記情報端末に送信する第１通信部とを備え、
前記情報端末は、
前記表示データを受信する第２通信部と、
前記表示データに基づいて前記選択画面を生成し、表示部に表示させる表示制御部と、
前記選択画面を通じて前記任意の作業と前記任意の遠隔操作装置とを選択する前記オペレータによる選択指示を受け付ける操作部とを備え、
前記第２通信部は前記選択指示を前記サーバに送信し、
前記サーバは、前記オペレータの識別子と、前記選択指示が示す遠隔操作装置の識別子と、前記選択指示が示す作業とを対応付けて記憶することで前記オペレータの作業を受注する受注管理部を更に備える作業選択システム。
【請求項２】
前記作業要求情報は作業内容及び作業時間帯とを含み、
前記選択画面は、作業内容と前記作業内容に対する作業時間帯とを対応付けて表示し、且つ、前記作業内容のうち任意の作業内容と前記作業時間帯のうち任意の作業時間帯とを選択可能に表示し、
前記選択指示は、前記選択画面を通じて、任意の作業内容を選択する指示と、選択した作業内容に対する任意の作業時間帯を選択する指示と、選択した作業時間帯において使用する前記遠隔操作装置を選択する指示とを含み、
前記受注管理部は、前記オペレータの識別子と、前記選択指示が示す作業内容と、前記選択指示が示す作業時間帯と、前記選択指示が示す遠隔操作装置の識別子とを対応付けて記憶することで前記オペレータの作業を受注する、
請求項１に記載の作業選択システム。
【請求項３】
前記第１通信部は、前記遠隔操作装置に対する前記オペレータによる検索条件を前記情報端末から受信し、
前記サーバは、前記検索条件に合致する前記遠隔操作装置を前記第２データベースから抽出する抽出部をさらに備え、
前記選択画面は、抽出された前記遠隔操作装置を示す検索結果画面を含む、
請求項１又は２記載の作業選択システム。
【請求項４】
前記遠隔操作装置情報は、前記遠隔操作装置の設置場所を示す情報を含み、
前記検索条件は、前記情報端末の位置又は前記オペレータが指定した位置に対して近い順で前記遠隔操作装置を検索するという条件を含む、
請求項３に記載の作業選択システム。
【請求項５】
前記遠隔操作装置情報は、前記遠隔操作装置の利用料金を示す情報を含み、
前記検索条件は、前記利用料金が安い順又は高い順で前記遠隔操作装置を検索するという条件を含む、
請求項３又は４記載の作業選択システム。
【請求項６】
前記遠隔操作装置情報は、前記遠隔操作装置の予約日及び予約時間を示す情報を含み、
前記検索条件は、前記遠隔操作装置の予約日及び予約時間を指定する条件を含み、
前記抽出部は、前記第２データベースから前記検索条件として指定された予約日及び予約時間に予約が入っていない遠隔操作装置を抽出する、
請求項３〜５のいずれかに記載の作業選択システム。
【請求項７】
前記選択画面は、前記抽出部によって抽出された前記遠隔操作装置の設置位置を表示する地図画面を含む、
請求項３〜６のいずれかに記載の作業選択システム。
【請求項８】
前記作業要求情報は、前記作業時間帯を一括受注したときの第１報酬額と、前記作業時間帯を一部受注したときの報酬額であって前記第１報酬額よりも低額の第２報酬額とを更に含み、
前記選択画面は、前記作業内容に対応付けて前記第１及び第２報酬額が表示される請求項２に記載の作業選択システム。
【請求項９】
前記作業要求情報は、前記作業時間帯を一括受注したときに前記オペレータに対して要求する第１要求技能レベルと、前記作業時間帯を一部受注したときに前記オペレータに対して要求する第２要求技能レベルとを更に含み、
前記サーバは、複数のオペレータのそれぞれの技能レベルを記憶するオペレータデータベースを更に備え、
前記受注管理部は、前記第２通信部が前記選択指示を受信した場合、前記複数のオペレータのうち前記選択指示を送信したオペレータの技能レベルを前記オペレータデータベースから取得し、前記選択指示が前記一括受注の場合は前記技能レベルが前記第１要求技能レベル以上の条件を満たす場合、前記選択指示が前記一部受注の場合は前記技能レベルが前記第２要求技能レベル以上の条件を満たす場合、前記受注を受け付ける請求項８記載の作業選択システム。
【請求項１０】
建設機械を遠隔操作する遠隔操作装置のオペレータに作業発注者が発注した作業を選択させる作業選択システムにおける作業選択方法であって、
前記作業発注者が発注した１以上の作業に関する作業要求情報と、１以上の遠隔操作装置のそれぞれについて少なくとも識別子を含む遠隔操作装置情報とに基づいて、前記１以上の作業及び前記１以上の遠隔操作装置の中から任意の作業及び任意の遠隔操作装置を前記オペレータに選択させるための選択画面を情報端末に表示させる表示データを生成し、
前記表示データを前記オペレータの情報端末に送信して前記選択画面を前記情報端末に表示させ、
前記選択画面を通じて前記オペレータにより選択された任意の作業と任意の遠隔操作装置とを選択する選択指示を前記情報端末から受信し、
前記オペレータの識別子と、前記選択指示が示す遠隔操作装置の識別子と、前記選択指示が示す作業とを対応付けて記憶することで前記オペレータの作業を受注する、
作業選択方法。
【発明の詳細な説明】
【技術分野】
【０００１】
本発明は、作業発注者により発注された作業をオペレータに選択させる技術に関するものである。
【背景技術】
【０００２】
近年、建設機械のオペレータの高齢化に伴い、オペレータ不足が深刻化しており、作業発注者がオペレータを確保することが困難になりつつある。そこで、作業現場まで出向かずにオペレータが建設機械を遠隔操作する遠隔操作システムへの期待が高まっている。
【０００３】
遠隔操作システムでは国内の全地域はもとより外国からもオペレータを募ることができるため、作業発注者はオペレータの確保が容易になる。また、遠隔操作システムでは、オペレータは作業現場に出向く必要がないので、ある時間帯ではある作業現場の作業を行い、次の時間帯では別の作業現場の作業を行うというように、時間帯に応じて作業現場を変えるといった働き方が可能となる。
【０００４】
また、遠隔操作システムでは、実際に作業が行われる場所に依存することなく、オペレータが建設機械を遠隔操作するための遠隔操作装置を自由に設置することができる。そのため、例えば、作業を発注する作業発注者又は作業を受注する施工業者のオフィスのみならず、レンタルオフィス、レンタル会議室、及びネットカフェといった様々な施設に遠隔操作装置を設置することが可能となる。
【０００５】
また、レンタルオフィス等の施設に遠隔操作装置を設置して、この遠隔操作装置をオペレータに一定時間レンタルしてオペレータに遠隔作業を行わせ、レンタル料金をオペレータ等から徴収するような新たなビジネスの誕生も期待されている。
【先行技術文献】
【特許文献】
【０００６】
【特許文献１】特開２００２−１０８９７５号公報
【発明の概要】
【発明が解決しようとする課題】
【０００７】
このような遠隔操作システムを実現するには、スマートフォン及びタブレット端末等の情報端末を用いて、希望する作業と、その作業を行うための遠隔操作装置とをオペレータに容易に選択させる作業選択システムを構築することが望まれる。しかし、従来、このような作業選択システムは存在していなかった。
【０００８】
特許文献１には、土木施工を複数の作業班のそれぞれに対する生産性を、各作業班における機械情報、人員情報、作業時間、及び施工出来高に基づいて算出する施工量管理システムが開示されているに過ぎない。そのため、上記の作業選択システムを提供することはできない。
【課題を解決するための手段】
【０００９】
本発明の目的は、情報端末を用いて希望する作業とその作業を行うための遠隔操作装置とをオペレータに容易に選択させることができる技術を提供することである。
【００１０】
本発明の一態様に係る作業選択システムは、建設機械を遠隔操作する遠隔操作装置のオペレータに作業発注者が発注した作業を選択させる作業選択システムであって、
前記オペレータが前記作業を選択するための情報端末と、
前記情報端末とネットワークを介して接続されるサーバとを備え、
前記サーバは、
前記作業発注者が発注した１以上の作業に関する作業要求情報を予め記憶する第１データベースと、
１以上の遠隔操作装置のそれぞれについて少なくとも識別子を含む遠隔操作装置情報を予め記憶する第２データベースと、
前記作業要求情報及び前記遠隔操作装置情報に基づいて、前記１以上の作業及び前記１以上の遠隔操作装置の中から任意の作業及び任意の遠隔操作装置を前記オペレータに選択させるための選択画面を前記情報端末に表示させる表示データを生成する表示データ生成部と、
前記表示データを前記情報端末に送信する第１通信部とを備え、
前記情報端末は、
前記表示データを受信する第２通信部と、
前記表示データに基づいて前記選択画面を生成し、表示部に表示させる表示制御部と、
前記選択画面を通じて前記任意の作業と前記任意の遠隔操作装置とを選択する前記オペレータによる選択指示を受け付ける操作部とを備え、
前記第２通信部は前記選択指示を前記サーバに送信し、
前記サーバは、前記オペレータの識別子と、前記選択指示が示す遠隔操作装置の識別子と、前記選択指示が示す作業とを対応付けて記憶することで前記オペレータの作業を受注する受注管理部を更に備える。
【００１１】
本構成によれば、作業発注者が発注した１以上の作業に関する作業要求情報と、１以上の遠隔操作装置のそれぞれについて少なくとも識別子を含む遠隔操作装置情報とに基づいて、１以上の作業及び１以上の遠隔操作装置の中から任意の作業及び任意の遠隔操作装置をオペレータに選択させるための選択画面を情報端末に表示させるための表示データが生成されて情報端末に送信される。
【００１２】
そして、選択画面を通じて任意の作業と任意の遠隔操作装置とがオペレータにより選択され、選択指示がサーバに送信される。選択指示を受信したサーバは、オペレータの識別子と、選択指示が示す遠隔操作装置の識別子と、選択指示が示す作業とを対応付けて記憶することでオペレータの作業を受注する。そのため、オペレータは、情報端末を用いて、自身の都合に応じて任意に作業及び遠隔操作装置を選択して作業スケジュールを組むことができる。したがって、本構成によれば、情報端末を用いて希望する作業とその作業を行うための遠隔操作装置とをオペレータに容易に選択させることができる。
【００１３】
上記構成において、前記作業要求情報は作業内容及び作業時間帯とを含み、
前記選択画面は、作業内容と前記作業内容に対する作業時間帯とを対応付けて表示し、且つ、前記作業内容のうち任意の作業内容と前記作業時間帯のうち任意の作業時間帯とを選択可能に表示し、
前記選択指示は、前記選択画面を通じて、任意の作業内容を選択する指示と、選択した作業内容に対する任意の作業時間帯を選択する指示と、選択した作業時間帯において使用する前記遠隔操作装置を選択する指示とを含み、
前記受注管理部は、前記オペレータの識別子と、前記選択指示が示す作業内容と、前記選択指示が示す作業時間帯と、前記選択指示が示す遠隔操作装置の識別子とを対応付けて記憶することで前記オペレータの作業を受注してもよい。
【００１４】
本構成によれば、選択画面には作業内容のうち任意の作業内容と作業時間帯のうち任意の作業時間帯とが選択可能に表示されるため、オペレータは情報端末を用いて、希望する作業時間帯と希望する作業内容と希望する遠隔操作装置とを選択して自身の都合のよい作業スケジュールを組むことができる。そのため、作業を選択する際のオペレータの自由度を高めることができる。
【００１５】
上記構成において、前記第１通信部は、前記遠隔操作装置に対する前記オペレータによる検索条件を前記情報端末から受信し、
前記サーバは、前記検索条件に合致する前記遠隔操作装置を前記第２データベースから抽出する抽出部をさらに備え、
前記選択画面は、抽出された前記遠隔操作装置を示す検索結果画面を含んでもよい。
【００１６】
本構成によれば、オペレータが入力した検索条件に合致する遠隔操作装置が抽出されるため、オペレータは抽出した遠隔操作装置の中から希望する遠隔操作装置を選択でき、その結果、遠隔操作装置を選択する際のオペレータの負担を低減できる。
【００１７】
上記構成において、前記遠隔操作装置情報は、前記遠隔操作装置の設置場所を示す情報を含み、
前記検索条件は、前記情報端末の位置又は前記オペレータが指定した位置に対して近い順で前記遠隔操作装置を検索するという条件を含んでもよい。
【００１８】
本構成によれば、オペレータは情報端末の近くに位置する遠隔操作装置の中から希望する遠隔操作装置を選択できる。
【００１９】
上記構成において、前記遠隔操作装置情報は、前記遠隔操作装置の利用料金を示す情報を含み、
前記検索条件は、前記利用料金が安い順又は高い順で前記遠隔操作装置を検索するという条件を含んでもよい。
【００２０】
本構成によれば、オペレータは、利用料金が安い順又は高い順でで検索された遠隔操作装置の中から希望する遠隔操作装置を容易に選択できる。
【００２１】
上記構成において、前記遠隔操作装置情報は、前記遠隔操作装置の予約日及び予約時間を示す情報を含み、
前記検索条件は、前記遠隔操作装置の予約日及び予約時間を指定する条件を含み、
前記抽出部は、前記第２データベースから前記検索条件として指定された予約日及び予約時間に予約が入っていない遠隔操作装置を抽出してもよい。
【００２２】
本構成によれば、オペレータが作業を希望する日及び時間帯に予定の入っていない遠隔操作装置の中から希望する遠隔操作装置を容易に選択できる。
【００２３】
上記構成において、前記選択画面は、前記抽出部によって抽出された前記遠隔操作装置の設置位置を表示する地図画面を含んでもよい。
【００２４】
本構成によれば、選択画面には検索条件に合致する遠隔操作装置の設置位置を表示する地図画面が含まれるので、オペレータは容易に遠隔操作装置の設置位置を把握できる。
【００２５】
上記構成において、前記作業要求情報は、前記作業時間帯を一括受注したときの第１報酬額と、前記作業時間帯を一部受注したときの報酬額であって前記第１報酬額よりも低額の第２報酬額とを更に含み、
前記選択画面は、前記作業内容に対応付けて前記第１及び第２報酬額が表示されてもよい。
【００２６】
本構成によれば、作業時間帯の全部を一括して受注した場合、作業時間帯を一部受注した場合に比べて高い報酬額が得られるので、オペレータに一括受注に対する動機付けを与えることができる。この場合、作業内容の全時間帯を一人のオペレータが担当することになり、作業発注者側における作業スケジュールの管理の手間が軽減される。一方、作業時間帯を一部受注した場合、報酬額は一括受注した場合に比べて低くなるが、自己の都合に合った時間帯に対して作業を受注することができる。
【００２７】
上記構成において、前記作業要求情報は、前記作業時間帯を一括受注したときに前記オペレータに対して要求する第１要求技能レベルと、前記作業時間帯を一部受注したときに前記オペレータに対して要求する第２要求技能レベルとを更に含み、
前記サーバは、複数のオペレータのそれぞれの技能レベルを記憶するオペレータデータベースを更に備え、
前記受注管理部は、前記第２通信部が前記選択指示を受信した場合、前記複数のオペレータのうち前記選択指示を送信したオペレータの技能レベルを前記オペレータデータベースから取得し、前記選択指示が前記一括受注の場合は前記技能レベルが前記第１要求技能レベル以上の条件を満たす場合、前記選択指示が前記一部受注の場合は前記技能レベルが前記第２要求技能レベル以上の条件を満たす場合、前記受注を受け付けてもよい。
【００２８】
本構成によれば、作業発注者は発注する作業内容に応じて、一括受注した場合の要求技能レベル（第１要求技能レベル）と、一部受注をした場合の要求技能レベル（第２要求技能レベル）とを任意に設定し、技能レベルが要求技能レベル以上のオペレータに受注させることができる。
【発明の効果】
【００２９】
本発明によれば、情報端末を用いて希望する作業とその作業を行うための遠隔操作装置とをオペレータに容易に選択させることができる。
【図面の簡単な説明】
【００３０】
【図１】本発明の実施の形態に係る作業選択システムの全体構成を示すブロック図である。
【図２】作業発注者がオペレータに作業を発注する際に発注者端末に表示される土木工事の作業内容入力画面の一例を示す図である。
【図３】ランク決定テーブルの一例を示す図である。
【図４】作業発注者による作業内容の入力が完了した際に発注者端末に表示される最終画面の一例を示す図である。
【図５】マスター情報を記憶する第２データベースの構成を示す図である。
【図６】オペレータが受注する作業を選択する際に情報端末に表示される表示画面の一例を示す図である。
【図７】作業予定データベースの構成を示す図である。
【図８】オペレータデータベースの構成を示す図である。
【図９】作業実績データベースの構成を示す図である。
【図１０】機械レンジ、ＡＴＴ種類、及び先端ＡＴＴ種類を纏めた表である。
【図１１】シミュレータ実績データベースの構成を示す図である。
【図１２】検定実績データベースの構成を示す図である。
【図１３】作業選択システムにおいてサーバに各種情報が登録される際の処理を示すフローチャートである。
【図１４】オペレータが作業を選択する際の作業選択システムの処理を示すフローチャートである。
【図１５】図１４の続きのフローチャートである。
【図１６】情報端末に表示される検索画面を示す図である。
【図１７】情報端末に表示されるマスター選択画面を示す図である。
【図１８】情報端末に表示されるマスター選択画面を示す図である。
【図１９】受注結果画面を示す図である。
【発明を実施するための形態】
【００３１】
図１は、本発明の実施の形態に係る作業選択システムの全体構成を示すブロック図である。作業選択システムは、サーバ１０、発注者端末２０、マスター３０、及び情報端末６０を備える。発注者端末２０は、マスター３０を用いて建設機械５０を遠隔操作するオペレータに対して、作業発注者が作業を発注するための装置である。サーバ１０は、作業発注者が発注した作業をオペレータが所持する情報端末６０に提示する装置である。
【００３２】
マスター３０は、建設機械５０を遠隔操作する遠隔操作装置の一例である。本実施の形態では、マスター３０は建設機械５０の操縦席を模擬した操作装置で構成されており、建設機械５０の操作レバーと同様の操作レバーが建設機械５０と同様のポジションで配置されている。また、マスター３０は、オペレータが着座するシートと、シートの前方に配置され、建設機械５０の周囲画像を表示する表示部３０１とを備え、オペレータは表示部３０１に表示された周囲画像を見ながら、操作レバーを操作して建設機械５０を遠隔操作する。
【００３３】
マスター３０は、例えば、発注者のオフィスに設置されてもよいし、発注者が発注する作業を請け負う施工業者のオフィスに設置されてもよいし、マスター３０をオペレータに一時的にレンタルするレンタル業者の施設に設置されてもよい。レンタル業者の施設としては、例えば、レンタル会議室、ネットカフェ、ゲームセンター、及びレンタルオフィスなどが該当する。
【００３４】
スレーブ４０は、建設機械５０の操縦席に配置され、マスター３０が受け付けた操作量に基づいて建設機械５０の操縦席に設けられた操作レバーを傾倒させることにより、建設機械５０を直接操作する従操作装置である。スレーブ４０は、建設機械５０を遠隔操作するオペレータのダミーとなって建設機械５０を操作する機械である。建設機械５０は、油圧ショベル、油圧クレーン等の建設機械で構成され、マスター３０を操作するオペレータによって遠隔操作される。
【００３５】
例えば、オペレータがマスター３０の操作レバーを操作するとその操作に応じた操作量を示す信号が通信路ＮＴ２を介してスレーブ４０に送信される。その信号を受信したスレーブ４０は、建設機械５０の操縦席のレバーをその信号が示す操作量に応じて傾倒させる。これにより、オペレータがマスター３０のレバーに入力した操作量に応じた操作量がスレーブ４０を介して建設機械５０に入力され、建設機械５０が遠隔操作されることになる。
【００３６】
情報端末６０は、オペレータが所持するスマートフォン及びタブレット端末等の携帯型のコンピュータで構成されている。これにより、オペレータは、情報端末６０を操作してサーバ１０にアクセスし、いつでも、どこでも、作業の予約を行うことができる。なお、情報端末６０としては、携帯型の情報端末の他、据え置き型のコンピュータが採用されてもよい。
【００３７】
サーバ１０と、発注者端末２０、マスター３０、スレーブ４０、及び情報端末６０とのそれぞれは、ネットワークＮＴ１を介して相互に通信可能に接続されている。ネットワークＮＴ１としては、インターネット及び携帯電話通信網等から構成される長距離通信網が採用できる。
【００３８】
マスター３０及びスレーブ４０は通信路ＮＴ２を介して相互に通信可能に接続されている。通信路ＮＴ２としては、例えば、ネットワークＮＴ１と同じ長距離通信網が採用される。但し、これは一例であり、通信路ＮＴ２としては、特定省電力無線、及びブルーツース（登録商標）といったマスター３０及びスレーブ４０を数十ｍ〜数百ｍ程度の距離で無線通信させる通信路が採用されてもよい。
【００３９】
発注者端末２０は、オペレータに作業を発注する作業発注者が所持するパーソナルコンピュータ等のコンピュータで構成されている。ここで、作業発注者は、工事等の作業を立案してオペレータに発注する人物であり、例えば、作業発注会社に所属する社員が該当する。オペレータは、例えば、施工業者に雇用されたオペレータであってもよいし、フリーランスのオペレータであってもよい。
【００４０】
発注者端末２０は、表示部２０１、制御部２０２、操作部２０３、及び通信部２０４を備える。表示部２０１は、例えば、液晶ディスプレイで構成される。制御部２０２は、例えば、ＣＰＵ等のプロセッサで構成され、発注者端末２０の全体制御を司る。操作部２０３は、例えば、キーボード及びマウスであり、作業発注者が入力する作業要求情報を受け付ける。通信部２０４は、発注者端末２０をネットワークＮＴ１に接続する通信装置で構成され、操作部２０３が受け付けた作業要求情報をネットワークＮＴ１を介してサーバ１０に送信する。
【００４１】
図２は、作業発注者がオペレータに作業を発注する際に発注者端末２０に表示される土木工事の作業内容入力画面Ｇ１の一例を示す図である。作業内容入力画面Ｇ１は、機械情報入力欄Ｈ１、要求技能レベル入力欄Ｈ２、及び作業スケジュール入力欄Ｈ３を備える。
【００４２】
機械情報入力欄Ｈ１は、発注する作業において遠隔操作対象となる建設機械５０に関する情報を作業発注者が入力する欄である。具体的には、機械情報入力欄Ｈ１は、「現場名」及び「機械情報」の欄を備える。「現場名」欄は、発注する作業が行われる現場名を入力する欄である。「機械情報」欄には、遠隔操作対象となる建設機械５０の仕様に関するパラメータを入力する欄である。「機械情報」欄は、「種別」、「機種」、「ＡＴＴ」、及び「先端ＡＴＴ」の欄を備える。「種別」欄は、バックホウ、ミニバックホウ、パワーショベル、及びクレーンといった建設機械５０の種類を入力する欄である。図２の例では「バックホウ」が入力されている。「機種」欄は、「ＳＫ２００−１０」といった建設機械５０の型番を入力する欄である。「ＡＴＴ」欄は、「標準」及び「ロングアーム」といった建設機械５０が備えるアタッチメントの種類を入力する欄である。例えばアタッチメントの種類が「標準」の場合、アタッチメントはブーム及びアームで構成される。「先端ＡＴＴ」欄は、「バケット」及び「ニブラ」といったアタッチメントの先端に取り付けられる先端アタッチメントの種類を入力する欄である。
【００４３】
要求技能レベル入力欄Ｈ２は、作業発注者がオペレータに要求する作業内容別の技能レベルである要求技能レベルを入力する欄である。作業内容入力画面Ｇ１は土木工事の画面であるため、要求技能レベル入力欄Ｈ２には作業内容として、「掘削・積込」、「平地整地」、「平地整形」、「のり面整地」、及び「のり面整形」の５つの作業内容が登録されている。
【００４４】
「掘削・積込」とは、土、地盤、及び岩盤を掘り、ダンプカーに積み込む作業内容である。「平地整地」とは、「平地整形」によって整形された平地を整える作業内容である。「平地整形」とは、地面の凹凸を取り除き、平らな地面を作る作業内容である。「のり面整地」とは、「のり面整形」によって整形されたのり面を整える作業内容である。「のり面整形」とは、切土又は盛土により作られる人工的な斜面であるのり面を整形する作業内容である。なお、図２に挙げられた作業内容は一例にすぎず、他の作業内容が含まれていてもよい。
【００４５】
「要求技能レベル」欄は、「一括制」及び「時給制」の欄を備える。「一括制」欄はオペレータが「一括制」の受注態様を選択した場合において作業発注者がオペレータに要求する要求技能レベルを入力する欄である。「一括制」とは、作業内容別に作業発注者が設定した作業時間帯の全てをオペレータが一括受注する受注態様である。
【００４６】
「時給制」欄はオペレータが「時給制」の受注態様を選択した場合において作業発注者がオペレータに要求する要求技能レベルを入力する欄である。「時給制」とは、作業内容別に作業発注者が設定した作業時間帯の一部をオペレータが受注する受注態様である。以下、作業時間帯の全部をオペレータが受注することを「一括受注」と称し、作業時間帯の一部をオペレータが受注することを「一部受注」と称する。
【００４７】
本実施の形態では、オペレータの技能レベルは、図３のランク決定テーブルＴ３に示すように、技能レベルが高い順に、Ｓ、Ａ、Ｂ、Ｃ、Ｄの５段階の技能レベルにランク分けされている。作業発注者は、図３に定められたランクにしたがって要求技能レベルを入力していく。
【００４８】
図３は、ランク決定テーブルＴ３の一例を示す図である。ランク決定テーブルＴ３はサーバ１０のメモリーに事前に登録されており、「評価点」及び「ランク」の欄を備える。図３の例では、ランクは技能レベルが高い順にＳ、Ａ、Ｂ、Ｃ、Ｄの５つにランク分けされている。そのため、ランク決定テーブルＴ３の「ランク」の欄にはＳ〜Ｄが順に登録されている。「評価点」の欄には、Ｓ〜Ｄの各ランクに対する評価点の範囲が登録されている。この評価点は後述の技能レベル算出部１０５がオペレータの作業実績等からオペレータの技能レベルを決定する際に使用される。
【００４９】
図２の要求技能レベル入力欄Ｈ２の例では、「掘削・積込」に対して、一括制が「Ｃ」、時給制が「Ｄ」の要求技能レベルが入力されるというように、全般的に一括受注の方が一部受注に比べて要求技能レベルが高く設定されている。これは、一部受注において要求技能レベルを高く設定してしまうと、多くのオペレータを募ることができず、該当する作業内容の作業時間帯の一部に未受注の時間帯が発生する可能性が高まるからである。
【００５０】
但し、これは一例であり、図２の「のり面整形」において一括制及び一部受注として共に「Ｓ」が入力されているように、一括受注と一部受注とは同一の要求技能レベルが設定されてもよい。或いは、一括受注よりも一部受注の方が要求技能レベルは高く設定されてもよい。このように、作業発注者は一括受注と一部受注との要求技能レベルを任意に設定してもよい。
【００５１】
作業スケジュール入力欄Ｈ３は、該当する作業において、作業発注者が作業内容別に作業時間帯を入力する欄である。作業スケジュール入力欄Ｈ３は、「現場名」、「機械情報」、「作業内容」、「要求技能レベル」、「報酬額」、及び「２０２１年４月３日」との見出しが付けられた「作業時間帯」の欄を備えている。「現場名」欄及び「機械情報」欄には、機械情報入力欄Ｈ１で入力された情報が表示されている。「作業内容」欄には、要求技能レベル入力欄Ｈ２に挙げられた作業内容が表示されている。「要求技能レベル」欄には、要求技能レベル入力欄Ｈ２において作業内容別に入力された「一括制」及び「時給制」のそれぞれの要求技能レベルが表示されている。「報酬額」欄は、作業発注者がオペレータに与える作業内容別の報酬額を入力する欄である。本実施の形態では、「報酬額」欄において作業発注者は「一括制」及び「時給制」のそれぞれに対して個別に報酬額を入力できる。
【００５２】
図４を参照する。図４の例では、「掘削・積込」において、「一括制」は報酬額として「１４、４００円」が入力され、「時給制」は報酬額として「２、０００円」が入力されている。ここで、「一括制」の報酬額を時給に換算すると、「掘削・積込」の作業時間帯は「６時間」なので、「２４００円」であり、「時給制」の報酬額よりも割高になっている。作業内容の全時間帯を一人のオペレータが担当した方が、作業スケジュールに対する管理の手間が軽減されるので作業発注者にとって都合がよい。そのため、図４の例では、オペレータに一括受注に対する動機付けを与えるために、一括受注の報酬額が一部受注の報酬額に比べて割高に設定されている。
【００５３】
図２に参照を戻す。「作業時間帯」欄は、「現場名」欄に現場名（ここでは、現場Ａ）が入力された現場における作業内容別の１日における作業時間帯を入力する欄である。ここでは、２０２１年４月３日における作業時間帯を入力するための「作業時間帯」欄が表示されているため、「２０２１年４月３日」の見出しが付けられている。なお、現場Ａでの作業が複数日から構成されている場合、別の日の「作業時間帯」欄を表示するための切替ボタンが作業内容入力画面Ｇ１に設けられてもよい。
【００５４】
「作業時間帯」欄は、横方向に時間軸、縦軸方向に作業内容軸が割り付けられた２次元テーブルで構成されている。詳細には、「作業時間帯」欄は、２４時間を１時間毎に区切る複数の縦線と、作業内容を種類毎に区切る複数の横線とによって格子状に区画されている。ここでは、「作業時間帯」欄は、２４時間×５＝１２０個のセルで構成されている。
【００５５】
作業発注者は作業時間帯に対応するセルを選択する操作（例えば、クリック及びドラッグ）を入力することで作業時間帯を任意に選択していく。例えば、「掘削・積込」の９時から１２時までの作業時間帯を選択する場合、作業発注者は１行目の９時から１２時までの４つのセルを選択する操作を入力する。選択されたセルの表示は、デフォルトの第１色（例えば、白）から選択されたことを示す別の第２色に切り替えられる。これにより、作業発注者は選択した作業時間帯を容易に確認できる。ここでは、「作業時間帯」欄は１時間単位で作業時間帯が選択可能に構成されているが、これは一例であり、３０分、１０分、２時間、３時間というように任意の時間単位で作業時間帯が選択可能に構成されてもよい。
【００５６】
建設機械５０を遠隔操作させて作業を進める場合、作業発注者は世界中からオペレータを募ることができるため、例えば、日中は国内のオペレータに建設機械５０を遠隔操作させ、夜間は海外のオペレータに建設機械５０を遠隔操作させるというように２４時間体勢で作業を進めることができる。そこで、「作業時間帯」欄の時間軸は１時から２４時までの２４時間が設定されている。
【００５７】
図４は、作業発注者による作業内容の入力が完了した際に発注者端末２０に表示される最終画面Ｇ３の一例を示す図である。最終画面Ｇ３は、例えば、作業内容入力画面Ｇ１，Ｇ２において、作業発注者が作業を発注するうえで必要な全ての情報の入力が終了し、図略の確定ボタンをクリックすることで表示される。なお、確定ボタンがクリックされると、入力された各種情報が作業要求情報として発注者端末２０からサーバ１０に送信される。
【００５８】
最終画面Ｇ３では、要求技能レベル入力欄Ｈ２の表示は省かれているが、それ以外は、作業内容入力画面Ｇ１，Ｇ２と同じである。
【００５９】
図４の例では、「掘削・積込」に対しては、１時から６時までのセルが第２色で表示され、１時から６時までの作業時間帯が設定されていることが分かる。「平地整地」に対しては、７時から１２時までの色が第２色で表示され、７時から１２時までの作業時間帯が設定されていることが分かる。また、残りの作業内容についても同様にして作業時間帯が設定されていることが分かる。なお、第２色は作業内容別に異なる色が採用されてもよい。
【００６０】
また、「要求技能レベル」欄及び「報酬額」欄に示されるように、要求技能レベルが高いほど報酬額が割高に設定されていることが分かる。これにより、技能レベルを向上させると報酬額が割高な作業を受注できることになるため、技能レベルを向上させる動機付けをオペレータに与えることができる。
【００６１】
図１に参照を戻す。サーバ１０は、ＣＰＵ等のプロセッサとメモリと通信機能とを備えるコンピュータで構成され、通信部１０１、表示データ生成部１０２、抽出部１０３、受注管理部１０４、技能レベル算出部１０５、及びデータベース管理部１０６を備える。サーバ１０は、さらに、第１データベース１０７、第２データベース１０８、オペレータデータベース１０９、作業実績データベース１１０、シミュレータ実績データベース１１１、検定実績データベース１１２、及び作業予定データベース１１３を備える。図１に示す各種データベースはサーバ１０が備えるメモリに記憶されている。また、図１において、表示データ生成部１０２〜データベース管理部１０６は、例えば、ＣＰＵがプログラムを実行することで実現される。
【００６２】
通信部１０１（第１通信部の一例）は、例えば、サーバ１０をネットワークＮＴ１に接続させる通信装置で構成され、発注者端末２０から送信された作業要求情報を受信する。
【００６３】
表示データ生成部１０２は、第１データベース１０７に記憶された作業要求情報と第２データベース１０８に記憶されたマスター情報（遠隔操作装置情報の一例）に基づいて、１以上の作業及び１以上のマスター３０の中から任意の作業及び任意のマスター３０をオペレータに選択させるための選択画面を情報端末６０に表示させる表示データを生成する。
【００６４】
作業要求情報は、作業発注者が発注した１以上の作業に関する情報であり、具体的には、図２の作業内容入力画面Ｇ１を用いて作業発注者が入力した情報で構成される。図２の例では、作業要求情報として、作業が行われる「現場名」、作業に使用される「機械情報」、発注する作業を示す「作業内容」、各作業に対して要求する「要求技能レベル」、各作業に対する「報酬額」、及び図４に示すように各作業に対して作業発注者が希望する「作業時間帯」の情報が含まれる。なお、作業発注者が発注する１の作業とは、例えば、図４を参照して、作業が行われる「現場名」と、作業スケジュール入力欄Ｈ３の「作業内容」に記載された１つの作業内容と、その作業内容に対する「作業時間帯」とが該当する。
【００６５】
図５は、マスター情報を記憶する第２データベース１０８の構成を示す図である。第２データベース１０８は、１のレコードが１のマスター情報に対応しており、「マスターＩＤ」、「マスター名」、「設置場所」、及び「レンタル料金」の欄を備える。
【００６６】
「マスターＩＤ」はマスター３０を一意に識別する識別子である。「マスター名」はマスター３０の名称である。「設置場所」はマスター３０が設置された場所を示し、例えば設置場所の住所が採用されてもよいし、設置場所の緯度及び経度が採用されてもよい。「レンタル料金」はオペレータがマスター３０を使用する際にオペレータがマスター管理者に支払う料金である。
【００６７】
レンタルオフィス及びネットカフェ等の施設にマスター３０が設置され、オペレータにマスター３０を貸し出す対価としてオペレータからレンタル料金を徴収する事業者が現れることが見込まれる。「レンタル料金」はこのような事業者が所持するマスター３０をオペレータが利用する際に参照される。なお、レンタル料金は必ずしもオペレータから徴収されるものではない。例えば、オペレータが施工業者の社員であり、施工業者が所持するマスター３０をオペレータが利用する際にはレンタル料金が徴収されないケースもあり得る。この場合、「レンタル料金」欄には０円が記憶される。
【００６８】
なお、「レンタル料金」は時間帯に応じて異なる料金が設定されてもよい。例えば、「レンタル料金」は日中（例えば、８時〜５時）に比べて夜間（例えば、１７：００〜２２：００）が高く設定され、夜間に比べて深夜（例えば、２２：００〜８：００）が高く設定されてもよい。これにより、オペレータに対して夜間及び深夜に働こうとする動機付けを与えることができる。また、時差を利用して働く海外のオペレータを効果的に募ることも可能となる。
【００６９】
ここで、マスター情報は、マスター３０を介して入力されてもよいし、マスター３０を管理するマスター管理者が自身の情報端末を用いて入力されてもよい。
【００７０】
本実施の形態では、選択画面は、オペレータに任意の作業内容を選択させる作業選択画面と、オペレータに任意のマスター３０を選択させるマスター選択画面とを含む。表示データ生成部１０２は、第１データベース１０７に記憶された作業要求情報に基づいて、作業選択画面を情報端末６０に表示させるための第１表示データを生成する。図６に示すように、作業選択画面Ｇ５１は、作業内容と作業時間帯とが対応付けて表示され、且つ、作業時間帯の任意の時間帯が選択可能に表示される画面である。生成された第１表示データは、通信部１０１を用いて情報端末６０に表示される。
【００７１】
また、表示データ生成部１０２は、第２データベース１０８に記憶されたマスター情報に基づいて、マスター選択画面を生成する。マスター選択画面の詳細については後述する。
【００７２】
図６は、オペレータが受注する作業を選択する際に情報端末６０に表示される表示画面Ｇ５の一例を示す図である。表示画面Ｇ５は、作業選択画面Ｇ５１と、作業スケジュール画面Ｇ５２とを備える。ここでは、３人の作業発注者のそれぞれから現場Ａ，Ｂ，Ｃの作業が発注されたため、３つの作業選択画面Ｇ５１が表示されている。なお、３人の作業発注者はそれぞれ別の発注者端末２０を用いて作業要求情報を送信する。
【００７３】
作業選択画面Ｇ５１は、図２で説明した作業スケジュール入力欄Ｈ３と同様、「現場名」、「機械情報」、「作業内容」、「要求技能レベル」、「報酬額」、及び「２０２１年４月３日」との見出しが付けられた「作業時間帯」の欄を備えている。なお、これらの欄は、作業発注者により作業内容入力画面Ｇ１に入力された情報がそのまま表示されているので、詳細な説明は省く。現場Ａでは、作業発注者は「掘削・積込」〜「のり面整形」の５つの作業内容に対して作業時間帯を設定したため、これら５つの作業内容に対する作業時間帯が表示されている。一方、現場Ｂでは、作業発注者は、「のり面整地」及び「のり面整形」に対して作業時間帯を設定しなかったため、これら２つの作業内容の表示は省かれている。
【００７４】
現場Ｃでは、解体工事の作業が発注されており、作業発注者は「ビル解体（６ｍ以上）」及び「瓦礫積込」の２つの作業内容を入力したため、これら２つの作業内容に対する作業時間帯が表示されている。
【００７５】
作業スケジュール画面Ｇ５２は、作業選択画面Ｇ５１に表示された作業時間帯の中からオペレータＯ１が選択した作業時間帯を作業内容と対応付けて表示する画面である。詳細には、作業スケジュール画面Ｇ５２は、「オペレータ情報」、「作業内容」、及び「選択時間帯」の欄を備えている。「オペレータ情報」欄には、オペレータＯ１のオペレータＩＤと氏名とが表示されている。「作業内容」欄にはオペレータＯ１が時間帯を選択した作業内容が表示されている。なお、オペレータＯ１が選択しなかった時間帯に対する作業内容は「作業内容」欄には表示されない。ここでは、「平地整地」、「ビル解体（６ｍ以上）」、及び「のり面整地」の３つの作業内容に対して時間帯が選択されたので、これら３つの作業内容が表示されている。
【００７６】
「選択時間帯」欄は、横方向に時間軸、縦方向に作業内容軸が割り付けられた２次元のテーブルで構成されている。「選択時間帯」欄は時間軸を１時間毎に区切る複数の縦線と、作業内容を種類毎に区切る複数の横線とによって格子状に区画されている。ここでは、時間軸は７時から２０時まで示されているがこれは一例であり、１時から２４時まで示されてもよい。
【００７７】
図６の例では、オペレータＯ１は、現場Ａの「平地整地」おける７時から１２時までの６時間の時間帯の中から１０時から１１時までの２時間の作業時間帯を一部受注する操作ＯＰ１を操作部６０４を用いて入力している。そのため、情報端末６０の表示制御部６０２は、作業スケジュール画面Ｇ５２において、「平地整地」に対する１０時から１１時までの２時間の時間帯に対応する２つのセルの表示を第１色から第２色に切り替える。また、表示制御部６０２は、これら２つのセルに、現場Ａの時間帯であることを示すために「現場Ａ」と表示する。更に、この時間帯の時給は２３００円であるため、表示制御部６０２は、これら２つのセルのそれぞれに「２３００」と表示する。
【００７８】
また、オペレータＯ１は、現場Ａの「のり面整地」における１７時から２０時までの４時間の作業時間帯を一括受注する操作ＯＰ２を操作部６０４を用いて入力している。そのため、マスター３０の表示制御部６０２は、作業スケジュール画面Ｇ５２において、「のり面整地」に対する１７時から２０時までの４時間の作業時間帯に対応する４つのセルを１つのセルに結合した上で、表示を第１色から第２色に切り替える。また、制御部３０２は、この結合したセルに、現場Ａの作業時間帯であることを示すために「現場Ａ」と表示する。更に、この結合したセルの報酬は１３４４０円であるため、表示制御部６０２は、この結合したセルに「１３，４４０」と表示する。
【００７９】
他の操作ＯＰ３，ＯＰ４に対しても、操作ＯＰ１，ＯＰ２と同様、選択された作業時間帯が作業スケジュール画面Ｇ５２に表示されている。
【００８０】
また、「選択時間帯」欄には、オペレータＯ１に報酬の総額を報知するための「収入予定額」欄が設けられている。ここでは、操作ＯＰ１〜ＯＰ４によって選択された作業時間帯に対する報酬の総額が２８６４０円であったため、「収入予定額」欄には「２８，６４０」と表示されている。
【００８１】
このように、作業選択画面Ｇ５１において作業時間帯を選択すると、その作業時間帯が作業スケジュール画面Ｇ５２に表示されるので、オペレータＯ１は、作業選択画面Ｇ５１に作業内容別に表示された作業時間帯の中から任意の作業時間帯を選択する操作を入力しながら、自身の都合に合った作業スケジュールを作成することができる。また、表示画面Ｇ５には、作業選択画面Ｇ５１と作業スケジュール画面Ｇ５２とが並べて表示されているため、オペレータＯ１は自己が選択した作業時間帯を容易に確認することができる。また、オペレータＯ１は「収入予定額」欄に表示された金額を見ながら、目標金額に到達するように作業スケジュールを立てることもできる。
【００８２】
更に、作業選択画面Ｇ５１は、報酬額を一括制と時給制とに分けて表示するため、オペレータＯ１に対して、一部受注すべきか一括受注するべきかの判断材料を提示できる。
【００８３】
更に、作業選択画面Ｇ５１は、要求技能レベルを一括制と時給制とに分けて表示するため、オペレータＯ１に対して、作業内容が自己の技能レベルに見合ったものであるか否かの判断材料を提示できる。
【００８４】
オペレータＯ１は作業スケジュール画面Ｇ５２に対する入力が終了すると、図略の送信ボタンをクリックする。すると、マスター３０の通信部３０４は、作業スケジュール画面Ｇ５２を通じてオペレータが選択した作業を第１選択指示としてサーバ１０に送信する。ここで、第１選択指示には、例えば、オペレータＯ１により選択された作業を示す情報とオペレータＩＤとが含まれる。作業を示す情報には、オペレータが選択した作業の、現場名、作業内容、及び作業時間帯が含まれる。
【００８５】
図１に参照を戻す。抽出部１０３は、オペレータにより入力されたマスター３０を検索するための検索条件を通信部１０１が受信した場合、検索条件に合致するマスター３０を第２データベース１０８から抽出する。
【００８６】
ここで、検索条件としては、情報端末６０の位置又はオペレータが指定した位置に対して近い順でマスター３０を検索するという条件が採用できる。この場合、抽出部１０３は、情報端末６０の現在位置又はオペレータが指定した位置に対して近い順で所定個数のマスター３０を第２データベース１０８から抽出すればよい。なお、情報端末６０の現在位置は、例えば情報端末６０が備える図略のＧＰＳセンサから送信される位置情報を用いて特定される。
【００８７】
また、検索条件としては、マスター３０のレンタル料金（利用料金の一例）が安い順又は高い順でマスター３０を検索するという条件が採用されてもよい。この場合、抽出部１０３は、レンタル料金が安い順又は高い順に所定個数のマスター３０を第２データベース１０８から抽出すればよい。
【００８８】
また、検索条件としては、マスター３０の予約日及び予約時間を指定する条件が含まれてもよい。この場合、抽出部１０３は、作業予定データベース１１３から検索条件として指定された予約日及び予約時間に予約が入っていないマスター３０を抽出する。
【００８９】
なお、抽出部１０３によりマスター３０が抽出されると、表示データ生成部１０２は、抽出されたマスター３０の中から希望のマスター３０をオペレータに選択させるマスター選択画面を情報端末６０に表示させるための第２表示データを生成し、通信部１０１を用いて情報端末６０に送信する。
【００９０】
受注管理部１０４は、作業選択画面Ｇ５１を通じてオペレータにより選択された作業を含む第１選択指示と、マスター選択画面を通じてオペレータにより選択されたマスター３０のマスターＩＤを含む第２選択指示とが通信部１０１によって受信された場合、第１及び第２選択指示に含まれるオペレータＩＤと、第１選択指示に含まれる作業を示す情報と、第２選択指示に含まれるマスターＩＤとを対応付けて作業予定データベース１１３に記憶することで、オペレータの作業を受注する。
【００９１】
図７は、作業予定データベース１１３の構成を示す図である。作業予定データベース１１３は、オペレータＩＤと、図６に示す作業選択画面Ｇ５１を通じてオペレータが選択した作業Ｗ１〜Ｗ４を示す情報と、各作業Ｗ１〜Ｗ４に対してオペレータが選択したマスター３０のマスターＩＤとを対応付けて記憶する。図７の例では、オペレータ「コベルコ太郎」は、現場Ｂで８時から９時までの２時間の作業時間帯に「平地整地」を行う作業Ｗ１を選択すると共に作業Ｗ１に対してマスターＩＤ「Ｍ００１」のマスター３０を選択した。そのため、受注管理部１０４は、オペレータ「コベルコ太郎」のオペレータＩＤと、作業Ｗ１を示す情報と、マスターＩＤ「Ｍ００１」とを対応付けて作業予定データベース１１３に記憶する。図７に示す他の作業Ｗ２〜Ｗ４についても、受注管理部１０４は、作業Ｗ１と同様、オペレータＩＤと、作業を示す情報と、マスターＩＤとを対応付けて作業予定データベース１１３に記憶する。
【００９２】
なお、受注管理部１０４は、通信部１０１が第１選択指示を受信した場合、下記の受注判定処理を行った上でオペレータの作業を受注してもよい。すなわち、受注管理部１０４は、通信部１０１が第１選択指示を受信した場合、オペレータデータベース１０９から、オペレータの技能レベルを取得する。そして、受注管理部１０４は、第１選択指示が示す作業時間帯が一部受注の場合は、取得した技能レベルが一部受注に対応する要求技能レベル以上の条件を満たす場合、該当する作業時間帯に対するオペレータの受注を受け付ける。また、受注管理部１０４は、第１選択指示が示す作業時間帯が一括受注の場合は、取得した技能レベルが一括受注に対応する要求技能レベル以上の条件を満たす場合、該当する時間帯に対するオペレータの受注を受け付ける。
【００９３】
図４を参照し、例えば、技能レベルが「Ｄ」のオペレータが現場Ａの「掘削・積込」を一括受注した場合、「掘削・積込」に対する要求技能レベルが「Ｃ」であるため、受注管理部１０４は、その一括受注を受け付けない。一方、このオペレータが現場Ａの「掘削・積込」を一部受注した場合、「掘削・積込」に対する要求技能レベルが「Ｄ」であるため、受注管理部１０４は、その一部受注を受け付ける。
【００９４】
なお、受注管理部１０４は、受注判定処理が終了すると受注の受付結果を通信部１０１を用いて情報端末６０に送信してもよい。この場合、情報端末６０は、例えば、受注されなかった作業時間帯に対応するセルの表示を第２色から第１色に切り替えた上で、受注されなかった旨を通知するメッセージを作業スケジュール画面Ｇ５２の近傍に表示してもよい。一方、全ての作業時間帯が受注された場合、マスター３０は、全ての作業時間帯が受注された旨を通知するメッセージを作業スケジュール画面Ｇ５２の近傍に表示してもよい。
【００９５】
図８は、オペレータデータベース１０９の構成を示す図である。オペレータデータベース１０９は、オペレータテーブルＴ１と、技能レベルテーブルＴ２とを備えている。オペレータテーブルＴ１は、事前にエントリーされているオペレータの個人情報が登録されたテーブルである。技能レベルテーブルＴ２は、エントリーされたオペレータ毎に存在するテーブルである。
【００９６】
詳細には、オペレータテーブルＴ１は、「オペレータＩＤ」、「名前」、「国籍」、「メールアドレス」、及び「パスワード」の欄を備えている。「オペレータＩＤ」は、エントリーされた各オペレータを一意的に識別するための識別子である。「名前」はオペレータの名前を示す。「国籍」は日本、ドイツといった、オペレータが居住する国籍を示す。「メールアドレス」はオペレータが所持する情報端末６０のメールアドレスを示す。「パスワード」はオペレータが作業選択システムにログインする際に要求されるパスワードである。
【００９７】
技能レベルテーブルＴ２は、「機械レンジ」、「ＡＴＴ種類」、「先端ＡＴＴ種類」、及び「技能レベル」の欄を備えており、「機械レンジ」、「ＡＴＴ種類」、及び「先端ＡＴＴ種類」の組み合わせに対するオペレータの「技能レベル」が登録されている。すなわち、技能レベルテーブルＴ２には、建設機械５０の仕様に関する複数のパラメータの組み合わせ毎の技能レベルが登録されている。「機械レンジ」は、３ｔ〜５ｔ、６ｔ〜１３ｔといった予め区分された建設機械５０の重量範囲を示す。「ＡＴＴ種類」及び「先端ＡＴＴ種類」は、予め定められたアタッチメント及び先端アタッチメントの種類を示す。
【００９８】
図８の技能レベルテーブルＴ２に示すオペレータは、機械レンジ「３ｔ〜５ｔ」、ＡＴＴ種類「標準」、先端ＡＴＴ種類「バケット」の技能レベルが「Ｓ」であったため、１行目のレコードの「技能レベル」の欄にはＳが登録されている。
【００９９】
図８に示す技能レベルは、後述する技能レベル算出部１０５によって、オペレータの過去の作業実績等から事前に算出されて技能レベルテーブルＴ２に登録されたものである。
【０１００】
図１に参照を戻す、受注管理部１０４は、第１選択指示が示すある作業時間帯について受注を受け付けた場合、受注した作業時間帯における作業をオペレータに許可するためのアクセスコードを発行する。このアクセスコードは通信部１０１によりマスター３０及びスレーブ４０に送信される。
【０１０１】
アクセスコードを受信したマスター３０及びスレーブ４０はそのアクセスコードを図略のメモリーに記憶する。オペレータは、マスター３０を遠隔操作して受注した作業を行う場合、アクセスコードの入力が要求される。マスター３０はオペレータにより入力されたアクセスコードをメモリーに記憶したアクセスコードと照合し、一致していれば、そのアクセスコードをスレーブ４０に送信する。スレーブ４０は、受信したアクセスコードをメモリーに記憶したアクセスコードと照合し、一致していれば、アクセス許可通知をマスター３０に送信する。これにより、オペレータは、マスター３０による建設機械５０の遠隔操作が可能となる。
【０１０２】
ここで、アクセスコードはオペレータの顔画像の特徴量であってもよい。この場合、マスター３０は図略のカメラによってオペレータの顔画像を取得して顔画像の特徴量を抽出し、メモリーに記憶された特徴量と一致すれば、その特徴量をスレーブ４０に送信する。スレーブ４０はメモリーに記憶された特徴量と送信された特徴量とが一致すれば、アクセス許可通知をマスター３０に送信する。アクセスコードを文字列で構成すると、その文字列を盗んだ第三者はその文字列を入力することでマスター３０による遠隔操作が可能となる。一方、顔の特徴量をアクセスコードとして採用すれば、このような権限のない第三者による遠隔操作を防止できる。
【０１０３】
また、アクセスコードは有効期限が定められてたものであってもよい。有効期限としては、該当する作業時間帯の完了日時が採用できる。これにより、作業が完了しているにも拘わらず、オペレータが作業で使用した建設機械５０を遠隔操作する事態を回避できる。
【０１０４】
技能レベル算出部１０５は、エントリーされたオペレータのそれぞれについて、作業実績データベース１１０とシミュレータ実績データベース１１１と検定実績データベース１１２とを参照して、作業内容別に評価点の合計値を算出し、算出した評価点の合計値とランク決定テーブルＴ３とを照合することで技能レベルを算出し、オペレータデータベース１０９に登録する。
【０１０５】
以下、技能レベルの算出の詳細について説明する。図９は、作業実績データベース１１０の構成を示す図である。作業実績データベース１１０は、エントリーしたオペレータのそれぞれに対して、「機種レンジ」、「ＡＴＴ種類」、及び「先端ＡＴＴ」の組み合わせ毎に存在し、過去の作業実績が登録されたデータベースである。図９の例では、「機種レンジ」が「３ｔ〜ｔ５」、「ＡＴＴ種類」が「標準」、「先端ＡＴＴ種類」が「バケット」における作業実績データベース１１０が示されている。なお、該当するオペレータにおいて、「機種レンジ」が「３ｔ〜ｔ５」、「ＡＴＴ種類」が「標準」、「先端ＡＴＴ種類」が「バケット」以外の組み合わせに対する作業実績があれば、その組み合わせに対する作業実績データベース１１０も存在する。ここで、「作業実績」とは、作業発注者により発注された作業に対するオペレータの実績であり、オペレータが実際の作業現場において建設機械５０を遠隔操作した実績である。
【０１０６】
図１０は、機械レンジ、ＡＴＴ種類、及び先端ＡＴＴ種類を纏めた表である。表１４１に示すように、本実施の形態では、機械レンジは、「３ｔ〜５ｔ」、「６ｔ〜１３ｔ」、・・・、「５０ｔ以上」というように５つに区分されている。表１４２に示すように、本実施の形態では、ＡＴＴ種類は、「標準」、「ロングレンジ」、「セパレート」、「３つ折れ」、「ショートアーム」の５つに区分されている。表１４３に示すように、本実施の形態では、先端ＡＴＴ種類は、「バケット」、「回転グラップル」、「機械式グラップル」、「小割ニブラ」、「大割ニブラ」の５つに区分されている。
【０１０７】
あるオペレータが、機械レンジ、ＡＴＴ種類、及び先端ＡＴＴ種類について、例えば、「３ｔ〜５ｔ」、「標準」、及び「バケット」の組み合わせに作業実績があり、「３ｔ〜５ｔ」、「ロングレンジ」、及び「バケット」の組み合わせに作業実績があるとすると、これら２つの組み合わせに対応して２つの作業実績データベース１１０が存在することになる。
【０１０８】
図９に参照を戻す。作業実績データベース１１０は、「作業内容」、「ベース加点」、「作業時間」、及び「評価点」の欄を備える。「作業内容」欄には各種作業内容が登録されており、ここでは、「掘削・積込」、「平地整地」、「平地整形」、「のり面整地」、及び「のり面整形」の５の作業内容が登録されている。「作業時間」の欄には、オペレータが作業実績のある作業に対する作業内容別の累積作業時間が登録されている。
【０１０９】
「ベース加点」とは、「作業時間」の欄に入力された作業時間に乗じられる予め定められた係数である。ここでは、難易度の高い作業内容ほどベース加点が高くなるようにベース加点の値は設定されている。「評価点」とは、各作業内容におけるベース加点と作業時間との積によって表される数値である。評価点が高いほど、作業の難易度が高くなるので、オペレータに要求される技能レベルも高くなる。
【０１１０】
技能レベル算出部１０５は、作業実績データベース１１０において、作業内容別に、作業時間にベース加点を乗じて評価点を算出し、「評価点」の欄に登録する。なお、図１０では、「掘削・積込」〜「のり面整形」の５つの土木工事に関する作業内容が登録されているが、これは、これらの作業内容に対してオペレータの作業実績があるからである。例えば、オペレータが解体作業に対する作業実績があれば、解体作業に関する作業内容も登録される。このように、作業実績データベース１１０には、作業実績のある作業内容と、その作業内容に対する実際の作業時間の累積値とが対応付けて登録される。
【０１１１】
図１１は、シミュレータ実績データベース１１１の構成を示す図である。シミュレータ実績データベース１１１は、エントリーしたオペレータのそれぞれに対して存在し、オペレータがマスター３０が備えるシミュレータを使って遠隔操作のトレーニングをした実績が登録されたデータベースである。シミュレータ実績データベース１１１は、「作業内容」、「ベース加点」、「作業時間」、及び「評価点」の欄を備える。「作業内容」の欄には、オペレータがシミュレータでトレーニングした作業内容が登録されている。「作業時間」の欄には、オペレータがシミュレータでトレーニングした作業内容別のトレーニング時間の累積値が登録されている。「ベース加点」及び「評価点」は、図１０で説明したものと同じである。
【０１１２】
技能レベル算出部１０５は、シミュレータ実績データベース１１１において、作業内容別に、作業時間にベース加点を乗じて評価点を算出し、「評価点」の欄に登録する。なお、図１１では、「掘削・積込」〜「のり面整形」の５つの土木工事に関する作業内容が登録されているが、これは、これらの作業内容に対してオペレータのトレーニング実績があるからである。このように、シミュレータ実績データベース１１１には、トレーニング実績のある作業内容と、その作業内容に対する実際のトレーニング時間の累積値と、その作業内容に対する評価点とが対応付けて登録されている。
【０１１３】
図１２は、検定実績データベース１１２の構成を示す図である。検定実績データベース１１２は、エントリーしたオペレータのそれぞれに対して存在し、作業内容別に実施される所定の検定に対する合否結果が登録されたデータベースである。検定は、所定の作業内容に関してオペレータの技能レベルが一定レベル以上であることを保証するものである。
【０１１４】
検定実績データベース１１２は、「検定内容」、「ベース加点」、「合否結果」、及び「評価点」の欄を備える。「検定内容」の欄には、検定が実施される作業内容が登録されている。ここでは、「掘削・積込」、「平地整形」、及び「のり面整形」の３つの作業内容に対する検定が実施されるので、「検定内容」の欄には、これら３つ作業内容が登録されている。「合否結果」の欄には、検定に対する合否結果が登録されており、合格の場合は「１」が登録され、合格していない場合は「０」が登録されている。「ベース加点」及び「評価点」は、図９で説明したものと同じである。但し、ベース加点については、図９に示す作業実績データベース１１０及び図１１に示すシミュレータ実績データベース１１１の評価点とのスケールを合わせるために、図９及び図１１の評価点に比べて５０倍の値が設定されている。
【０１１５】
技能レベル算出部１０５は、作業実績データベース１１０における作業内容別の評価点と、シミュレータ実績データベース１１１における作業内容別の評価点と、検定実績データベース１１２における作業内容別の評価点との合計値を算出する。例えば、作業実績データベース１１０の評価点の合計値は、４１０（＝６０＋２０＋６０＋４５＋２２５）であり、シミュレータ実績データベース１１１の評価点の合計値は、２７５（＝８２＋５４＋４５＋２４＋７０）であり、検定実績データベース１１２の評価点の合計値は２００（＝５０＋１５０）である。したがって、「機種レンジ：３ｔ〜ｔ５」、「ＡＴＴ種類：標準」、「先端ＡＴＴ種類：バケット」の組み合わせに対する評価点の最終合計値は８８５（＝４１０＋２７５＋２００）と算出される。そして、技能レベル算出部１０５は、ランク決定テーブルＴ３を参照すると最終合計値「８５８」は、ランクが「Ｓ」であるため、このオペレータについて、「機種レンジ：３ｔ〜ｔ５」、「ＡＴＴ種類：標準」、「先端ＡＴＴ種類：バケット」の組み合わせに対する技能レベルをＳと算出する。更に、技能レベル算出部１０５は、該当するオペレータについて、「機種レンジ」、「ＡＴＴ種類」、及び「先端ＡＴＴ種類」の他の組み合わせに対する作業実績があれば、その組み合わせに対しても評価点の合計値を算出して技能レベルを算出する。
【０１１６】
なお、技能レベル算出部１０５は、作業実績データベース１１０、シミュレータ実績データベース１１１、及び検定実績データベース１１２のいずれか１つのデータが更新される度に技能レベルを算出する処理を実行し、オペレータデータベース１０９に登録された技能レベルを更新すればよい。
【０１１７】
図１に参照を戻す。データベース管理部１０６は、第１データベース１０７、第２データベース１０８、オペレータデータベース１０９、作業実績データベース１１０、シミュレータ実績データベース１１１、及び検定実績データベース１１２を管理する。
【０１１８】
データベース管理部１０６は、発注者端末２０から作業要求情報を取得すると、その作業要求情報を第１データベース１０７に記憶する。
【０１１９】
また、データベース管理部１０６は、マスター３０からマスター情報を取得すると、そのマスター情報を第２データベース１０８に記憶する。
【０１２０】
また、データベース管理部１０６は、マスター３０からシミュレーション結果を取得すると、そのシミュレーション結果にしたがってシミュレータ実績データベース１１１を更新する。これによって、オペレータが実施したシミュレーションの履歴がシミュレータ実績データベース１１１に蓄積されていく。
【０１２１】
また、データベース管理部１０６は、オペレータがある作業内容に対する検定の合否結果を取得すると、その合否結果にしたがって、検定実績データベース１１２を更新する。検定は、例えば、本作業選択システムの提供者によって提供される試験である。
【０１２２】
また、データベース管理部１０６は、実作業に対する作業実績を取得すると、その作業実績で作業実績データベース１１０を更新する。
【０１２３】
このように、本実施の形態では、オペレータは実作業のみならず、シミュレータによるトレーニングをするほど技能レベルが向上し、且つ、検定に合格するほど技能レベルが向上し、より多くの作業を受注できるしくみになっている。そのため、実作業の空き時間を利用してシミュレータ及び検定を受けて技能レベルを向上させようとするモチベーションをオペレータに付与することができ、オペレータの技能レベルの全体的な嵩上げを図ることができる。
【０１２４】
図１に参照を戻す。マスター３０は、表示部３０１、制御部３０２、操作部３０３、及び通信部３０４を備える。表示部３０１は、マスター３０の操縦席の手前に設けられた液晶ディスプレイ等の表示装置で構成されている。制御部３０２は、コンピュータで構成され、マスター３０の全体制御を司る。制御部３０２は、例えば、建設機械５０のカメラ（図略）によって撮影された建設機械５０の周囲の画像を通信部３０４を介して取得して、表示部３０１にリアルタイムで表示させる。また、制御部３０２は、操作部３０３を操作することで入力された操作量を示す信号をスレーブ４０に通信部３０４を用いて送信し、スレーブ４０を介して建設機械５０を遠隔操作する。
【０１２５】
また、制御部３０２は、サーバ１０から送信された予約依頼を通信部３０４が受信した場合、その予約依頼を図略のメモリに記憶させる。なお、予約依頼には、作業を行うオペレータのオペレータＩＤと、そのオペレータのパスワードと、オペレータが行う作業を示す情報とが含まれる。作業を示す情報には、作業が行われる現場名、作業内容を示す情報、及び作業時間帯を示す情報等が含まれる。
【０１２６】
操作部３０３は、建設機械５０の操縦席に設けられた種々の操作レバーに対応する種々の操作レバーを備えており、オペレータが建設機械５０を遠隔操作するための操作を受け付ける。また、操作部３０３は、オペレータＩＤ及びパスワード等の情報の入力を受け付ける種々のボタンも備えている。
【０１２７】
通信部３０４は、マスター３０をネットワークＮＴ１及び通信路ＮＴ２に接続させる通信装置で構成されている。
【０１２８】
情報端末６０は、通信部６０１、表示制御部６０２、表示部６０３、及び操作部６０４を備える。通信部６０１（第２通信部の一例）は、情報端末６０をネットワークＮＴ１に接続する通信装置で構成されている。本実施の形態では、通信部６０１は、サーバ１０から送信される第１表示データ及び第２表示データ等を受信する。また、通信部６０１は、作業選択画面Ｇ５１を通じてユーザにより選択された作業を示す情報等を含む第１選択指示をサーバ１０に送信する。また、通信部６０１は、マスター選択画面を通じてオペレータが選択したマスター３０のマスターＩＤを含む第２選択指示をサーバ１０に送信する。
【０１２９】
表示制御部６０２は、通信部６０１が受信した第１表示データにしたがって作業選択画面Ｇ５１を含む表示画面Ｇ５を生成し、表示部６０３に表示する。また、表示制御部６０２は、通信部６０１が受信した第２表示データにしたがってマスター画面を生成し、表示部６０３に表示する。
【０１３０】
表示部６０３は、表示制御部６０２の制御の下、液晶ディスプレイ等の表示装置で構成され、表示画面Ｇ５等を表示する。
【０１３１】
操作部６０４は、タッチパネル、キーボード、及びマウス等の入力装置で構成され、オペレータにより入力される各種操作を受け付ける。
【０１３２】
図１３は、作業選択システムにおいてサーバ１０に各種情報が登録される際の処理を示すフローチャートである。
【０１３３】
Ｓ１５０１では、発注者端末２０の操作部２０３は、作業発注者によって入力された作業要求情報を受け付ける。Ｓ１５０２では、発注者端末２０の制御部２０２は、操作部２０３が受け付けた作業要求情報を用いてサーバ１０に送信する。ここでは、図２の作業内容入力画面Ｇ１を用いて入力された各種情報が作業要求情報として送信される。
【０１３４】
Ｓ１５１１では、サーバ１０の通信部１０１は、作業要求情報を受信する。Ｓ１５１２では、サーバ１０のデータベース管理部１０６は、通信部１０１が受信した作業要求情報を第１データベース１０７に記憶させる。これにより、「現場名」、「機械情報」、「作業内容」、「要求レベル」、「報酬額」、及び「作業時間帯」等の情報が対応付けられた作業要求情報が第１データベース１０７に記憶される。
【０１３５】
Ｓ１５２１では、情報端末６０の操作部６０４は、「オペレータＩＤ」、オペレータの「名前」、「国籍」、「メールアドレス」、及び「パスワード」等を含むオペレータ情報の入力を受け付ける。Ｓ１５２２では、情報端末６０の通信部６０１は、オペレータ情報をサーバ１０に送信する。なお、オペレータは、例えば、本作業選択システムに自身を新規登録する際にオペレータ情報を入力する。以後、オペレータはこのオペレータ情報に含まれるオペレータＩＤ及びパスワードを用いて本作業選択システムにログインできる。
【０１３６】
Ｓ１５１３では、サーバ１０の通信部１０１は、情報端末６０からオペレータ情報を受信する。Ｓ１５１４では、サーバ１０のデータベース管理部１０６は通信部１０１が受信したオペレータ情報をオペレータデータベース１０９に記憶する。これにより、図８に示すオペレータデータベース１０９のオペレータテーブルＴ１に該当するオペレータの「オペレータＩＤ」、オペレータの「名前」、「国籍」、「メールアドレス」、及び「パスワード」が記憶される。
【０１３７】
Ｓ１５３１では、マスター３０の操作部６０４は、マスター管理者によるマスター情報の入力を受け付ける。ここで、マスター情報は、例えば、マスター３０が本作業選択システムに新規登録される際にマスター管理者によって入力される。この入力作業は例えば、マスター３０が施設に新規に設置されたときに実施されてもよいし、設置後、適当な時期に実施されてもよい。
【０１３８】
Ｓ１５３２では、マスター３０の通信部３０４は、入力されたマスター情報をサーバ１０に送信する。Ｓ１５１５では、サーバ１０の通信部１０１はマスター情報を受信する。
【０１３９】
Ｓ１５１６では、サーバ１０のデータベース管理部１０６は、通信部１０１が受信したマスター情報を第２データベース１０８に記憶する。これにより、第２データベース１０８には、該当するマスター３０のマスターＩＤ、マスター名、マスター３０の設置場所、及びレンタル料金が記憶される。
【０１４０】
図１４は、オペレータが作業を選択する際の作業選択システムの処理を示すフローチャートである。図１５は、図１４の続きのフローチャートである。Ｓ１６１１では、情報端末６０の通信部６０１は、操作部６０４を用いてオペレータが入力した認証情報をサーバ１０に送信する。ここで、認証情報には、オペレータＩＤ及びパスワードが含まれる。
【０１４１】
Ｓ１６０１では、サーバ１０の通信部１０１は認証情報を受信する。このとき、サーバ１０は、オペレータデータベース１０９に、認証情報として送信されたオペレータＩＤ及びパスワードが登録されていれば、該当するオペレータのログインを許可し、処理をＳ１６０２進める。なお、認証情報として送信されたオペレータＩＤ及びパスワードがオペレータデータベース１０９に登録されていなければ、サーバ１０は、ログインに失敗した旨のメッセージを情報端末６０に送信する。
【０１４２】
Ｓ１６０２では、表示データ生成部１０２は、第１データベース１０７に記憶された作業要求情報に基づいて、作業選択画面Ｇ５１を含む表示画面Ｇ５を情報端末６０で表示させるための第１表示データを生成し、通信部１０１を用いて情報端末６０に送信する。
【０１４３】
Ｓ１６１２では、情報端末６０の通信部６０１は、第１表示データを受信する。Ｓ１６１３では、情報端末６０の表示制御部６０２は、第１表示データから表示画面Ｇ５を生成し、表示部６０３に表示する。これにより、図６に示す作業選択画面Ｇ５１と作業スケジュール画面Ｇ５２とを含む表示画面Ｇ５がオペレータに提示されることになる。
【０１４４】
Ｓ１６１４では、情報端末６０の操作部６０４は、作業選択画面Ｇ５１を通じてオペレータが選択した作業の入力を受け付ける。この場合、オペレータは作業選択画面Ｇ５１から希望する作業を選択して、作業スケジュール画面Ｇ５２に作業を埋め込む操作を行うことで作業を選択していく。
【０１４５】
Ｓ１６１５では、情報端末６０の通信部６０１は、選択された作業を示す情報と、作業を選択したオペレータのオペレータＩＤとを含む第１選択指示をサーバ１０に送信する。Ｓ１６０３では、サーバ１０の通信部１０１は第１選択指示を受信する。
【０１４６】
Ｓ１６０４では、サーバ１０の受注管理部１０４は、オペレータの技能レベルがオペレータが選択した作業が要求する要求技能レベル以上であるか否かを判定する判定処理を実施する。なお、判定処理の詳細は上述したため、ここでは説明を省く。判定処理の結果、オペレータの技能レベルが要求技能レベル以上であれば、処理は図１５のＳ１７０１に進み、オペレータの技能レベルが要求技能レベル未満であれば、処理は図１５のＳ１７０１に進まない。この場合、受注管理部１０４は、選択した作業を受注できなかった旨のメッセージを情報端末６０に送信すればよい。
【０１４７】
Ｓ１７０１では、サーバ１０の表示データ生成部１０２は、オペレータにマスター３０を検索させる検索画面の表示データを通信部１０１を用いて情報端末６０に送信する。
【０１４８】
Ｓ１７１１では、情報端末６０の通信部６０１は、検索画面の表示データを受信する。Ｓ１７１２では、情報端末６０の表示制御部６０２は、検索画面の表示データから検索画面を生成し、表示部６０３に表示する。
【０１４９】
図１６は、情報端末６０に表示される検索画面Ｇ１１０を示す図である。検索画面Ｇ１１０には、日付入力欄Ｒ１１１、予約時間入力欄Ｒ１１２、住所入力欄Ｒ１１３、検索範囲入力欄Ｒ１１４、及び料金範囲入力欄Ｒ１１５を備える。
【０１５０】
日付入力欄Ｒ１１１は、オペレータがマスター３０の予約を希望する日付を入力する欄である。日付入力欄Ｒ１１１に日付が入力された場合、この日付において予約が入っていないマスター３０が検索される。予約時間入力欄Ｒ１１２は、オペレータがマスター３０の予約を希望する予約時間を入力する欄である。予約時間入力欄Ｒ１１２に予約時間が入力された場合、この予約時間において予約が入っていないマスター３０が検索される。
【０１５１】
住所入力欄Ｒ１１３は、オペレータが作業を希望する場所を入力する欄である。ここで、作業を希望する場所とは、実際の作業現場ではなく、マスター３０が設置された場所である。ここで、住所入力欄Ｒ１１３には、作業を希望する場所の住所が入力されてもよいし、駅名等の地域を代表する場所が入力されてもよい。検索範囲入力欄Ｒ１１４は、住所入力欄Ｒ１１３に入力した場所を中心にどのくらいの半径の領域をマスター３０の検索範囲にするかを入力する欄である。料金範囲入力欄Ｒ１１５は、オペレータが希望するマスター３０のレンタル料金の料金範囲を入力する欄である。料金範囲入力欄Ｒ１１５はレンタル料金の上限を入力する欄とレンタル料金の下限を入力する欄とを含んでいる。料金範囲入力欄Ｒ１１５に料金範囲が入力された場合、この料金範囲内のマスター３０が検索される。なお、検索画面Ｇ１１０に表示された各種検索項目に対する検索条件の入力は必須ではなく、オペレータは希望する検索項目に対して検索条件を入力する。
【０１５２】
図１５に参照を戻す。Ｓ１７１３では、情報端末６０の操作部６０４は、検索画面Ｇ１１０を通じてオペレータにより入力された検索条件を受け付ける。Ｓ１７１４では、情報端末６０の通信部６０１は、入力された検索条件を検索依頼としてサーバ１０に送信する。ここで、通信部６０１は、検索画面Ｇ１１０において検索ボタンＢ１１０を選択する操作が入力されたことをトリガーに検索依頼をサーバ１０に送信すればよい。
【０１５３】
Ｓ１７０２では、サーバ１０の通信部１０１は検索依頼を受信する。Ｓ１７０３では、サーバ１０の抽出部１０３は、検索依頼が示す検索条件に合致するマスター３０を第２データベース１０８から抽出する。
【０１５４】
ここで、抽出部１０３は、日付及び予約時間の検索条件については、図７に示す作業予定データベース１１３を参照することで、該当する日付及び予約時間において予約が入っていないマスター３０を抽出すればよい。また、抽出部１０３は、検索範囲の検索条件については、第２データベース１０８の「設置場所」欄に記憶された情報を参照して、検索範囲内に位置するマスター３０を抽出すればよい。また、抽出部１０３は、料金範囲の検索条件については、第２データベース１０８の「レンタル料金」欄に記憶された情報を参照して、レンタル料金が料金範囲内にあるマスター３０を抽出すればよい。
【０１５５】
Ｓ１７０４では、サーバ１０の表示データ生成部１０２は、Ｓ１７０３で抽出されたマスター３０の中から希望のマスター３０を選択させるマスター選択画面を情報端末６０に表示させるための第２表示データを生成し、通信部１０１を用いて情報端末６０に送信する。
【０１５６】
Ｓ１７１５では、情報端末６０の通信部６０１は、第２表示データを受信する。Ｓ１７１６では、情報端末６０の表示制御部６０２は、第２表示データを用いてマスター選択画面を生成し、表示部６０３に表示する。
【０１５７】
図１７は、情報端末６０に表示されるマスター選択画面Ｇ１２０を示す図である。マスター選択画面Ｇ１２０は、検索条件に合致するマスター３０が設置された施設を示すマークＭ１が表示された地図画面Ｇ１２１１を備える。また、マスター選択画面Ｇ１２０は、施設に関する基本情報を表示する基本情報表示欄Ｒ１２１と、施設に設置されたマスター３０の時間帯別の空き状況を示す空き状況表示欄Ｒ１２２とを備える。
【０１５８】
オペレータは、操作部６０４を操作してポインターＰ１を移動させ、希望する施設に対応するマークＭ１の上に位置決めさせる。すると、表示制御部６０２は、基本情報表示欄Ｒ１２１に該当する施設の基本情報を表示させる。ここで、基本情報表示欄Ｒ１２１には、施設の住所、アクセス方法、レンタル料金、及び評価の情報が表示される。ここで、評価とは、過去にその施設でマスター３０を使用したことのあるオペレータによる施設に対する評価を集計することで得られた数値である。また、基本情報表示欄Ｒ１２１の上側には、オペレータが検索条件として入力した日付が表示されている。
【０１５９】
基本情報表示欄Ｒ１２１を参照して、この施設を予約しようと判断したオペレータはポインターＰ１を空き状況表示欄Ｒ１２２に位置決する。すると、表示制御部６０２は、図１８に示すマスター選択画面Ｇ１２１を表示部６０３に表示する。図１８は、情報端末６０に表示されるマスター選択画面Ｇ１２１を示す図である。マスター選択画面Ｇ１２１において、マスター選択画面Ｇ１２０との相違点は、ポインターＰ１が空き状況表示欄Ｒ１２２に表示されている点と、地図画面Ｇ１２１１の上側に表示されたメッセージが異なる点にある。
【０１６０】
空き状況表示欄Ｒ１２２では、施設が備える各マスター３０の時間帯に応じた空き状況が「◎」と「×」との記号を用いて表されている。「◎」はマスター３０が該当する時間帯に予約が入っていないことを示し、「×」はマスター３０が該当する時間帯に予約が入っていることを示す。オペレータは、空き状況表示欄Ｒ１２２において、「◎」が記載された選択枠を選択することで、希望のマスター３０を希望の時間帯に予約できる。
【０１６１】
具体的には、オペレータは、空き状況表示欄Ｒ１２２において「◎」が記載された選択枠の中から希望する選択枠内にポインターＰ１を位置決めすることでその選択枠を選択する。なお、空き状況表示欄Ｒ１２２は複数の選択枠を選択することも可能である。したがって、他の選択枠を選択する場合、オペレータは、該当する選択枠にポインターＰ１を位置決めさせればよい。この場合、オペレータが選択した選択枠は選択されたことを示す色に変化されてもよい。また、一度選択した選択枠をキャンセルする場合、オペレータは選択済みの選択枠に再度ポインターＰ１を位置決めすればよい。そして最終的に選択枠が確定すると、オペレータは、マスター選択画面Ｇ１２１の右下に表示された予約ボタンＢ１２１を選択する操作を入力する。
【０１６２】
図１５に参照を戻す。Ｓ１７１７では、情報端末６０の操作部６０４は、上述のマスター選択画面Ｇ１２１を通じてオペレータがマスター３０を選択する操作を受け付ける。
【０１６３】
Ｓ１７１８では、情報端末６０の通信部６０１は、選択されたマスター３０のマスターＩＤを含む第２選択指示をサーバ１０に送信する。図１８に示すマスター選択画面Ｇ１２１の例では、空き状況表示欄Ｒ１２２の選択枠が選択され、この選択を通じてマスター３０の予約時間も選択されることになる。そのため、第２選択指示にはマスターＩＤに加え予約日及び予約時間を示す情報が含まれる。
【０１６４】
Ｓ１７０５では、サーバ１０の通信部１０１は第２選択指示を受信する。Ｓ１７０６では、サーバ１０の受注管理部１０４は、第２選択指示に含まれるオペレータＩＤを、Ｓ１６０４で受注した作業を示す情報と対応付けて作業予定データベース１１３に記憶することで、作業に使用されるマスター３０を予約する。
【０１６５】
この場合、受注管理部１０４は、第２選択指示に含まれる予約時間が、Ｓ１６０４で受注した作業の作業時間帯に合致する又はＳ１６０４で受注した作業の作業時間帯を含む場合、マスター３０の予約を確定し、処理をＳ１７０７に進める。一方、第２選択指示に含まれる予約時間が、Ｓ１６０４で受注した作業の作業時間帯に合致しない又はＳ１６０４で受注した作業の作業時間帯を含んでいない場合、受注管理部１０４は、マスター３０の予約を拒否すればよい。この場合、受注管理部１０４は、再度、マスター３０を選択させるメッセージを情報端末６０に送信すればよい。そして、受注管理部１０４は、オペレータに対してマスター選択画面Ｇ１２１を通じて再度マスター３０を選択する操作を行わせればよい。
【０１６６】
Ｓ１７０７では、サーバ１０の受注管理部１０４は、Ｓ１７０６において予約が確定したマスター３０に対して、予約依頼を通信部１０１を用いて送信する。予約依頼には、マスター３０を予約したオペレータのオペレータＩＤと、予約日と、予約時間と、当該オペレータのアクセスコードと、当該オペレータが選択した作業を示す情報等が含まれる。Ｓ１７２１では、マスター３０の通信部３０４は、予約依頼を受信する。この場合、マスター３０の制御部３０２は、予約依頼に含まれる情報をマスター３０のメモリに記憶する。これにより、マスター３０は、どの時間帯にどのオペレータがどのような作業を行うかを管理できる。また、メモリにはアクセスコードが記憶されるため、マスター３０は、予約時間になるとオペレータからのアクセスコードの入力を受け付けて、オペレータに建設機械５０を遠隔操作させることができる。
【０１６７】
Ｓ１７０８では、サーバ１０の受注管理部１０４は、作業が受注されたことを示す受注結果画面を情報端末６０に表示させる表示データを通信部１０１を用いて送信する。Ｓ１７１９では、情報端末６０において、通信部６０１はこの表示データを受信し、表示制御部６０２は受注結果画面を表示部６０３に表示する。
【０１６８】
図１９は、受注結果画面Ｇ１４０を示す図である。受注結果画面Ｇ１４０は、受注された作業を示す作業内容の表示欄Ｒ１４１と、予約されたマスター３０に関する情報を表示するマスター表示欄Ｒ１４２と、予約されたマスター３０の設置場所を示す地図画面Ｇ１４１とを備えている。
【０１６９】
表示欄Ｒ１４１は、「オペレータ情報」及び「作業時間帯」欄を備える。「オペレータ情報」欄には、作業を行うオペレータのオペレータＩＤとオペレータ名とが表示されている。「作業時間帯」欄には縦軸に作業内容、横軸に作業時間帯が設定されており、作業内容と作業時間帯とが対応付けて表示されている。この例では、８時から９時までの２時間の作業時間帯に現場Ｂで「平地整地」の作業Ｗ１が受注されていることが示されている。また、この例では、１０時から１１時までの２時間の作業時間帯に現場Ａで「平地整地」の作業Ｗ２が受注されていることが示されている。その他、この例では作業Ｗ３、作業Ｗ４が受注されていることが示されている。また、作業Ｗ１を示すセルにはオペレータに支払われる時給が表示されている。但し、作業Ｗ４は一括受注された作業であるため、作業Ｗ４を示すセルには時給ではなくオペレータに支払われるトータルの報酬額が表示されている。さらに、表示欄Ｒ１４１の右端には、「収入予定額」の欄が設けられている。「収入予定額」欄には、作業Ｗ１〜Ｗ４のそれぞれに対してオペレータに支払われる報酬額の合計金額が表示されている。
【０１７０】
マスター表示欄Ｒ１４２において、１行目には「平地整地」の２つの作業Ｗ１，Ｗ２に対して予約したマスター３０の設置場所が表示され、２行目には「ビル解体」の作業Ｗ３に対して予約したマスター３０の設置場所が表示され、３行目には「のり面整地」の作業Ｗ４に対して予約したマスター３０の設置場所が表示されている。
【０１７１】
地図画面Ｇ１４１には、マスター表示欄Ｒ１４２に表示された各マスター３０のそれぞれの設置場所がマークＭ１、Ｍ２、Ｍ３によってマーキングされている。また、マスター表示欄Ｒ１４２において、各マスター３０の左端には、地図画面Ｇ１４１で用いられたマークを示す符号（Ｍ１、Ｍ２、Ｍ３）が表示されている。これにより、オペレータは、どの作業時間帯にどの場所に設置されたマスター３０を使用すればよいのかが容易に分かる。
【０１７２】
図１９の例では、地図画面Ｇ１４１及びマスター表示欄Ｒ１４２にマークの符号（Ｍ１〜Ｍ３）を表示させることで、各マスター３０と設置場所との対応付けが行われているが、これは一例である。例えば、地図画面Ｇ１４１及びマスター表示欄Ｒ１４２において表示されたマークの符号（Ｍ１〜Ｍ３）の横にマスターＩＤが表示されてもよいし、マークの符号（Ｍ１〜Ｍ３）に代えて、マスターＩＤが表示されてもよい。或いは、地図画面Ｇ１４１において、各マスター３０の設置場所を形状の異なるマークＭ１〜Ｍ３を用いてマーキングすると共に、マスター表示欄Ｒ１４２において、各マスター３０の左端に地図画面Ｇ１４１で用いられた対応するマークＭ１〜Ｍ３を表示させてもよい。或いは、地図画面Ｇ１４１において、各マスター３０の設置場所を色の異なるマークＭ１〜Ｍ３を用いてマーキングすると共に、マスター表示欄Ｒ１４２において、各マスター３０の行を地図画面Ｇ１４１でマーキングに用いられた対応する色で表示させてもよい。
【０１７３】
表示欄Ｒ１４１に示されるように作業Ｗ１、Ｗ２は現場が異なるにも拘わらず、マスター表示欄Ｒ１４２に示されるように同じマスター３０が予約されている。したがって、オペレータは現場Ａから現場Ｂに実際に移動することなく、同じ場所に居ながらにして現場Ｂの作業Ｗ１が終了すると速やかに現場Ａの作業Ｗ２を開始できる。そのため、オペレータの作業効率を著しく向上させることができる。
【０１７４】
このように、本実施の形態によれば、情報端末６０のオペレータは、作業選択画面Ｇ５１を通じて好きな作業時間帯に好きな作業内容からなる作業を選択すると共に、マスター選択画面Ｇ１２０を通じて作業に使用するマスター３０を選択することができる。そのため、本実施の形態によれば、情報端末６０を用いて希望する作業とその作業を行うためのマスター３０とをオペレータに容易に選択させることができる。
【０１７５】
なお、本発明は下記の変形例を採用できる。
【０１７６】
（１）上記実施の形態では、作業選択画面Ｇ５１と、マスター選択画面Ｇ１２０、Ｇ１２１とは、別画面で表示されていたが、これに限定されず、一つの選択画面に集約されてもよい。この場合、オペレータは作業とマスター３０との選択を同一フェーズで行うことができる。また、この場合、第１選択指示と第２選択指示とは一つの選択指示として送信されてもよい。
【０１７７】
（２）図１に示す作業予定データベース１１３は第２データベース１０８に含めても良い。この場合、抽出部１０３は、第２データベースを参照して、検索条件として指定された予約日及び予約時間に空いているマスター３０を抽出できる。
【符号の説明】
【０１７８】
１０        ：サーバ
２０        ：発注者端末
３０        ：マスター
４０        ：スレーブ
５０        ：建設機械
６０        ：情報端末
１０１      ：通信部
１０２      ：表示データ生成部
１０３      ：抽出部
１０４      ：受注管理部
１０５      ：技能レベル算出部
１０６      ：データベース管理部
１０７      ：第１データベース
１０８      ：第２データベース
１０９      ：オペレータデータベース
１１０      ：作業実績データベース
１１１      ：シミュレータ実績データベース
１１２      ：検定実績データベース
１１３      ：作業予定データベース
６０１      ：通信部
６０２      ：表示制御部
６０３      ：表示部
６０４      ：操作部
Ｂ１１０    ：検索ボタン
Ｂ１２１    ：予約ボタン
Ｇ１１０    ：検索画面
Ｇ１２０    ：マスター選択画面
Ｇ１２１    ：マスター選択画面
Ｇ１２１１  ：地図画面
Ｇ２        ：作業内容入力画面
Ｇ５１      ：作業選択画面
Ｔ１        ：オペレータテーブル
Ｔ２        ：技能レベルテーブル
Ｔ３        ：ランク決定テーブル
【図１】
2020077294.tif 000003
【図２】
2020077294.tif 000004
【図３】
2020077294.tif 000005
【図４】
2020077294.tif 000006
【図５】
2020077294.tif 000007
【図６】
2020077294.tif 000008
【図７】
2020077294.tif 000009
【図８】
2020077294.tif 000010
【図９】
2020077294.tif 000011
【図１０】
2020077294.tif 000012
【図１１】
2020077294.tif 000013
【図１２】
2020077294.tif 000014
【図１３】
2020077294.tif 000015
【図１４】
2020077294.tif 000016
【図１５】
2020077294.tif 000017
【図１６】
2020077294.tif 000018
【図１７】
2020077294.tif 000019
【図１８】
2020077294.tif 000020
【図１９】
2020077294.tif 000021